(57)【要約】【課題】多くの手間を要することなく、着脱可能に容易にパウチを装着できると共に、パウチと共に傾倒させて、パウチに収容された内容液をスムーズに注出できるパウチホルダーを提供する。【解決手段】胴部１１ｂの下部が装着されてパウチ１１を立設させる胴部保持部１４と、胴部保持部１４の装着口１４ａの周縁部の対向する部分から上方に延設して、開放側を下方に向けた略コの字形状を備えるように設けられた、線状棒状部材を曲折加工することによって形成された周縁フレーム枠部１５とからなる。周縁フレーム枠部１５は、少なくとも一方の上端角部が斜辺部１５ａによって斜めに切り欠かれていると共に、斜辺部１５ａには、当該斜辺部１５ａにおいて線状棒状部材をこれの傾斜方向Ｘと交差する横方向に窪ませて曲折することで、パウチ１１の注出ノズル部１１ａを係止して位置決めするノズル保持部１６が形成されている。【選択図】図２
2013032172.tif 000002
【特許請求の範囲】
【請求項１】
前後一対の正面フィルム部を含み、該一対の正面フィルム部の周縁部分の少なくとも一部をシール接合して形成された、胴部と、該胴部から突出して設けられた注出ノズル部とを備えるパウチを装着した状態から、該パウチと共に傾倒させて前記注出ノズル部から内容液を注出させるパウチホルダーであって、
前記胴部の下部が装着されて前記パウチを立設させる胴部保持部と、該胴部保持部の装着口の周縁部の対向する部分から上方に延設して、開放側を下方に向けた略コの字形状を備えるように設けられた、線状棒状部材を曲折加工することによって形成された周縁フレーム枠部とからなり、
該周縁フレーム枠部は、少なくとも一方の上端角部が斜辺部によって斜めに切り欠かれた前記略コの字形状を備えていると共に、前記斜辺部には、当該斜辺部において前記線状棒状部材をこれの傾斜方向と交差する横方向に窪ませて曲折することで、前記パウチの前記注出ノズル部を係止して位置決めするノズル保持部が形成されているパウチホルダー。
【請求項２】
前記胴部保持部の装着口の周縁部の対向する部分から上方に延設する一対の前記周縁フレーム枠部が、略全長に亘って並んで配置されて設けられており、
一方の前記周縁フレーム枠部の前記斜辺部に、当該斜辺部において前記線状棒状部材をこれの傾斜方向と交差する横方向として、他方の前記周縁フレーム枠部の前記斜辺部側に窪ませて曲折することで、前記ノズル保持部が形成されている請求項１記載のパウチホルダー。
【請求項３】
前記周縁フレーム枠部の前記斜辺部が形成された側の一方の縦辺部とは反対側の他方の縦辺部に接合されて、線状棒状部材を曲折加工することによって形成された取っ手部が取り付けられている請求項１又は２記載のパウチホルダー。
【請求項４】
前記取っ手部は、前記他方の縦辺部から前記周縁フレーム枠部の内側に突出して取り付けられている請求項３記載のパウチホルダー。
【請求項５】
前記取っ手部は、前記他方の縦辺部から前記周縁フレーム枠部の外側に突出して取り付けられている請求項３記載のパウチホルダー。
【請求項６】
前記取っ手部は、前記他方の縦辺部から前記周縁フレーム枠部の内側に突出して設けられた人差し指の中程部分の押さえふくらみ部と、前記他方の縦辺部から前記周縁フレーム枠部の外側に突出して設けられた、人差し指と親指との間の根元部分の押さえふくらみ部及び中指と薬指と小指とによる握りふくらみ部とを含んで形成されている請求項３記載のパウチホルダー。
【請求項７】
一対の前記周縁フレーム枠部が略全長に亘って平行に配置されて設けられており、前記取っ手部は、一対の前記周縁フレーム枠部の一対の前記他方の縦辺部から、各々内側又は外側に突出して取り付けられている請求項３〜６のいずれか１項に記載のパウチホルダー。
【請求項８】
前記胴部保持部は、線状棒状部材を用いてフレーム枠形状に形成されている請求項１〜７のいずれか１項記載のパウチホルダー。
【発明の詳細な説明】
【技術分野】
【０００１】
本発明は、パウチホルダーに関し、特にパウチを装着した状態から、パウチと共に傾倒させてパウチの注出ノズル部から内容液を注出させるパウチホルダーに関する。
【背景技術】
【０００２】
パウチは、例えば前後一対の正面フィルム部と、底面フィルム部とからなり、好ましくはこれらのフィルム部の周縁部分をシール接合することによって形成されて、内容液を収容する胴部と、胴部から内容液を注出させる注出ノズル部とを備える袋状の容器である。パウチは、簡易な詰替え用の容器として多用されていると共に、例えば注出ノズル部にポンプ装置等を取り付けることで、吐出容器として用いることも可能である。
【０００３】
一方、パウチは、可撓性に富んだフィルム材料を用いて形成されることから、例えば詰替え作業の際に変形し易く、特に内容量が２Ｌ程度の営業用の詰替え用の容器として用いる場合には、不安定な状態になり易い。すなわち、例えばパウチの胴部を把持して詰替え作業を行う際に、パウチが折れてしまうため、パウチと被詰替え容器との双方を片手で持って詰替え作業を行うことが困難になって、内容液をこぼしやすくなる。手を離して被詰替え容器を置いた状態で、パウチを両手で持って詰替えようとしても、被詰替え容器が不安定な状態となって、やはり内容液をこぼしやすくなる。被詰替え容器の口部が狭かったり、内容液が低粘度のものであると、さらに内容液をこぼしやすくなる。
【０００４】
また、内容液の残量が少なくなると、注出ノズル部がふらふらしやすくなると共に、内容液の注出をコントロールし難くなって、さらに内容液をこぼしやすくなる。
【０００５】
これに対して、上端部に押出ポンプやスパウトを備えるパウチを、安定した立設状態で保持できるようにすると共に、押出ポンプによる内容液の吐出操作や、スパウトからの内容液の注出操作を容易に行えるようにする、詰替え用容器の保持具やパウチホルダーが開発されている（例えば、特許文献１、特許文献２参照）。これらの特許文献に記載の発明では、例えば金属製の線状棒状部材を曲折加工等することで形成されたフレーム状の保持具やパウチホルダーにパウチを装着して、当該パウチを安定した立設状態で保持できるようになっている。
【先行技術文献】
【特許文献】
【０００６】
【特許文献１】特開平９−８６５６４号公報
【特許文献２】特開２００５−２６３２４４号公報
【発明の概要】
【発明が解決しようとする課題】
【０００７】
しかしながら、特許文献１の保持具や特許文献２のパウチホルダーでは、一対のフレーム状の支持部材や一対のフレーム状の縦型フレー材の間に、上方又は下方からパウチを装着すると共に、パウチの上端部に設けられた押出ポンプやスパウトを、一対の支持部材の上端部中央部分の間や一対の縦型フレー材の上端部中央部分の間に挟み込むようにして固定することで、パウチを立設させた状態に保持するものであることから、パウチが例えば２Ｌ程度の内用量の大きなものであると、装着する操作に多くの手間がかかることになる。
【０００８】
また、注出ノズル部（スパウト）をパウチホルダーの上端部中央部分に固定すると、パウチを傾けて内容液を注出させる際に、垂直方向に対して９０°以上パウチホルダーと共に傾倒させる必要があることから、内用量が例えば２Ｌ程度のパウチであると、重量や容量が大きくなるため、パウチと共にパウチホルダーを傾倒させて注出ノズル部から内容液をスムーズに注出させることが困難になる。
【０００９】
本発明は、特に内容量が大きなパウチでも、多くの手間を要することなく、着脱可能に容易に装着することができると共に、パウチと共に傾倒させて、パウチに収容された内容液を注出ノズル部からスムーズに注出させることのできるパウチホルダーを提供することを目的とする。
【課題を解決するための手段】
【００１０】
本発明は、前後一対の正面フィルム部を含み、該一対の正面フィルム部の周縁部分の少なくとも一部をシール接合して形成された、胴部と、該胴部から突出して設けられた注出ノズル部とを備えるパウチを装着した状態から、該パウチと共に傾倒させて前記注出ノズル部から内容液を注出させるパウチホルダーであって、前記胴部の下部が装着されて前記パウチを立設させる胴部保持部と、該胴部保持部の装着口の周縁部の対向する部分から上方に延設して、開放側を下方に向けた略コの字形状を備えるように設けられた、線状棒状部材を曲折加工することによって形成された周縁フレーム枠部とからなり、該周縁フレーム枠部は、少なくとも一方の上端角部が斜辺部によって斜めに切り欠かれた前記略コの字形状を備えていると共に、前記斜辺部には、当該斜辺部において前記線状棒状部材をこれの傾斜方向と交差する横方向に窪ませて曲折することで、前記パウチの前記注出ノズル部を係止して位置決めするノズル保持部が形成されているパウチホルダーを提供することにより、上記目的を達成したものである。
【発明の効果】
【００１１】
本発明のパウチホルダによれば、特に内容量が大きなパウチでも、多くの手間を要することなく、着脱可能に容易に装着することができると共に、パウチと共に傾倒させて、パウチに収容された内容液を注出ノズル部からスムーズに注出させることができる。
【図面の簡単な説明】
【００１２】
【図１】本発明の好ましい一実施形態に係るパウチホルダーを、パウチを装着した状態で示す正面図である。
【図２】本発明の好ましい一実施形態に係るパウチホルダーの斜視図である。
【図３】（ａ）は本発明の好ましい一実施形態に係るパウチホルダーの正面図、（ｂ）は右側面図である。
【図４】本発明の好ましい一実施形態に係るパウチホルダーに、パウチを装着する状況を説明する斜視図である。
【図５】本発明の好ましい一実施形態に係るパウチホルダーをパウチと共に傾倒させて、内容液を注出させる状況を説明する斜視図である。
【図６】（ａ）〜（ｃ）は、パウチホルダーの他の形態を例示する正面図である。
【図７】パウチホルダーの他の形態を例示する斜視図である。
【図８】パウチホルダーの他の形態を例示する正面図である。
【発明を実施するための形態】
【００１３】
図１及び図２に示す本発明の好ましい一実施形態に係るパウチホルダー１０は、パウチ１１として、例えば営業用の食器用手洗い液体洗剤を内容液として収容した、内容量が例えば２Ｌ程度の大容量の詰替え用のパウチ１１を、着脱可能に装着して、パウチ１１と共に傾倒させることで、パウチ１１の注出ノズル部１１ａから内容液をスムーズに、且つ安定した状態で注出できるようにするものである。すなわち、パウチ１１は、可撓性に富んだフィルム材料を用いて形成されることから、特に大容量のものであると、これを把持して詰替え作業を行う際に変形しやすく、胴部１１ｂが折れてしまったり、注出ノズル部１１ａがふらふらして内容液をこぼしやすくなる。本実施形態のパウチホルダー１０は、このような変形しやすいパウチ１１を、着脱可能に容易に装着させて、安定した立設状態で保持できるようにすると共に、注出ノズル部１１ａを容易に位置決めさせて、内容液をスムーズに、且つ安定した状態で注出できるようにする機能を備える。
【００１４】
そして、本実施形態のパウチホルダー１０は、前後一対の正面フィルム部１２を含み、これらの一対の正面フィルム部１２の周縁部分の少なくとも一部を周縁シール部１３としてシール接合して形成された、胴部１１ｂと、胴部１１ｂから突出して設けられた注出ノズル部１１ａとを備えるパウチ１１を装着した状態から、パウチ１１と共に傾倒させて注出ノズル部１１ａから内容液を注出させるホルダーであって（図５参照）、胴部１１ｂの下部が装着されてパウチ１１を立設させる胴部保持部１４と、胴部保持部１４の装着口１４ａの周縁部の対向する部分から上方に延設して、開放側を下方に向けた略コの字形状を備えるように設けられた、線状棒状部材を曲折加工することによって形成された周縁フレーム枠部１５とからなる。
【００１５】
周縁フレーム枠部１５は、図３（ａ）、（ｂ）にも示すように、少なくとも一方の上端角部（本実施形態では一方の上端角部）が斜辺部１５ａによって斜めに切り欠かれた、開放側を下方に向けた略コの字形状を備えていると共に、斜辺部１５ａには、当該斜辺部１５ａにおいて線状棒状部材をこれの傾斜方向Ｘと交差する横方向に窪ませて曲折することで、パウチ１１の注出ノズル部１１ａを係止して位置決めするノズル保持部１６が形成されている。
【００１６】
また、本実施形態のパウチホルダー１０では、胴部保持部１４の装着口１４ａの周縁部の対向する部分から上方に延設する一対の周縁フレーム枠部１５，１５’が、略全長に亘って、間隔をおいて好ましくは平行に並んで配置されて設けられており、一方の周縁フレーム枠部１５の斜辺部１５ａに、当該斜辺部１５ａにおいて線状棒状部材をこれの傾斜方向Ｘと交差する横方向として、他方の周縁フレーム枠部１５’の斜辺部１５ａ’側に窪ませて曲折することで、ノズル保持部１６が形成されている。
【００１７】
さらに、本実施形態のパウチホルダー１０では、周縁フレーム枠部１５，１５’の斜辺部１５ａ，１５ａ’が形成された側の一方の縦辺部１５ｃ，１５ｃ’とは反対側の他方の縦辺部１５ｄ，１５ｄ’に接合されて、線状棒状部材を曲折加工することによって形成された取っ手部１７ａ，１７ａ’が取り付けられている。
【００１８】
本実施形態では、パウチホルダー１０に着脱可能に装着されるパウチ１１は、上述のように、液体洗剤を内容液として収容した、内容量が例えば２Ｌ程度の詰替え用の袋容器であり、前後一対の正面フィルム部１２を含んで形成された市販されている公知のものである。すなわち、パウチ１１は、可撓性を備えるフィルム材料として、例えばポリプロピレン、ポリエチレン等のポリオレフィン樹脂や、ポリエチレンテレフタレート等のポリエステル樹脂や、ナイロン等のポリアミド樹脂などによる厚さ８０〜２５０μｍ程度のシート状の積層フィルム材料を用いて形成されている。パウチ１１は、好ましくは前後一対の正面フィルム部１２と底面フィルム部（図示せず）とからなり、正面フィルム部１２の上縁部１２ｂ、側縁部１２ｃ，１２ｄ及び斜縁部１２ａを含むこれらの周縁部分を周縁シール部１３としてシール接合することで、内容液が収容された胴部１１ｂと、収容された内容液を注出させる注出ノズル部１１ａとを備える立体形状に形成されている。
【００１９】
また、パウチ１１は、例えば横幅が１５０〜２５０ｍｍ程度、縦幅が２５０〜３５０ｍｍ程度の大きさの、縦長の略矩形の正面形状を備えるように形成されると共に、内容液を収容した状態で、胴部１１ｂが、例えば８０〜１２０ｍｍ程度の前後方向の厚さを備えるように形成されている。
【００２０】
さらに、パウチ１１には、略矩形の正面形状の正面フィルム部１２の一方の上端角部を斜めに切り取るようにして、斜縁部１２ａが形成されている。斜縁部１２ａには、当該斜縁部１２ａの中央部分から斜め上方に突出して、胴部１１ｂと連通する注出ノズル部１１ａが形成されている。注出ノズル部１１ａの先端には、スパウト部材１８が取り付けられており、またスパウト部材１８の注出口を閉塞して、キャップ部材１９が着脱可能に装着されている。
【００２１】
そして、本実施形態では、パウチホルダー１０は、胴部保持部１４を含めた全体が、線状棒状部材として、例えば直径が３〜４ｍｍ程度の太さの金属製の丸棒を用いて形成されている。すなわち、パウチホルダー１０は、金属製の丸棒からなる線状棒状部材に曲折加工や切断加工や溶接加工等を施すことで、胴部保持部１４を含めた全体がフレーム枠形状となるように形成されている。
【００２２】
本実施形態では、パウチホルダー１０の胴部保持部１４は、例えば長円形状を有する上下一対のリングフレーム２０ａ，２０ｂを、上下に間隔を置いて平行に配置した状態で、連結縦フレーム２１，２１’を用いて連結することによって形成されている。すなわち、胴部保持部１４は、長円形状の対向する部分として、長軸方向に対向する両側の円弧形状部の先端部分において、各々、一対の連結縦フレーム２１，２１’を用いて上側リングフレーム２０ａと下側リングフレーム２０ｂとを互いに連結することによって、フレーム枠形状となるように形成されている。また、下側リングフレーム２０ｂには、長円形状の両側の直線部分に両端部を支持させて、これの内側開口を横断する一対の底部横フレーム２２が、好ましくは長円形状の短軸方向と平行に配置されて取り付けられている。パウチホルダー１０にパウチ１１が装着された際に、これらの底部横フレーム２２の上にパウチ１１の底部が載置されることで、パウチ１１が立設状態に保持される。
【００２３】
ここで、リングフレーム２０ａ，２０ｂは、好ましくはパウチホルダー１０に装着されるパウチ１１の胴部１１ｂの横断面形状と近似する、これよりも一回り大きな長円形状を備えている。これによって、上側リングフレーム２０ａの内側開口を装着口１４ａとして、パウチ１１の胴部１１ｂの下部を胴部保持部１４にスムーズに装着することが可能になる。またパウチ１１の底部を下側リングフレーム２０ｂの底部横フレーム２２の上に載置して、胴部１１ｂの下部が胴部保持部１４に装着された際に、上側リングフレーム２０ａによって胴部１１ｂの周囲を支持することで、パウチ１１を安定した立設状態に保持することが可能になる。
【００２４】
また、本実施形態では、上側リングフレーム２０ａは、下側リングフレーム２０ｂからの取付け高さが、下側リングフレーム２０ｂから周縁フレーム枠部１５，１５’の上辺部１５ｂ，１５ｂ’までの高さの１／５〜１／２程度となるように取り付けられていて、胴部保持部１４には、パウチ１１の胴部１１ｂの下部のみが装着されるようになっている。これによって、パウチ１１を、周縁フレーム枠部１５，１５’と上側リングフレーム２０ａとによって囲まれる広い面積の装着空間と、上側リングフレーム２０ａの内側の装着口１４ａとを介して、パウチホルダー１０の斜め側方から、スムーズにパウチホルダー１０に装着することが可能になる（図４参照）。また周縁フレーム枠部１５，１５’と上側リングフレーム２０ａとによって囲まれる広い面積の装着空間を介して、パウチ１１をパウチホルダー１０から斜め側方に向けてスムーズに取り出すことが可能になる。
【００２５】
そして、本実施形態では、周縁フレーム枠部１５，１５’は、胴部保持部１４の連結縦フレーム２１，２１’を形成する線状棒状部材を、上側リングフレーム２０ａよりも上方に延設させることで、当該連結縦フレーム２１，２１’と連続させて設けられている。これによって、周縁フレーム枠部１５，１５’は、胴部保持部１４の上側リングフレーム２０ａによる装着口１４ａの周縁部の対向する部分として、長円形状の長軸方向に対向する両側の円弧形状部の先端部分から上方に延設して、開放側を下方に向けた略コの字形状を備えるように配置される。
【００２６】
本実施形態では、周縁フレーム枠部１５，１５’は、長円形状のリングフレーム２０ａ，２０ｂの一方の円弧形状部に取り付けられた連結縦フレーム２１，２１’と連続する一方の縦辺部１５ｃ，１５ｃ’と、他方の円弧形状部に取り付けられた連結縦フレーム２１，２１’と連続する他方の縦辺部１５ｄ，１５ｄ’と、他方の縦辺部１５ｄ，１５ｄ’の上端部から直角横方向に折れ曲がってリングフレーム２０ａ，２０ｂと平行に配置された上辺部１５ｂ，１５ｂ’と、一方の縦辺部１５ｃ，１５ｃ’の上端部と上辺部１５ｂ，１５ｂ’の先端部とを斜めに連結する斜辺部１５ａ，１５ａ’とからなり、開放側を下方に向けた略コの字形状を備えると共に、胴部保持部１４の連結縦フレーム２１，２１’及び下側リングフレーム２０ｂと一体となって、パウチホルダー１０に装着されるパウチ１１の周縁部の形状に沿った、縦長の略矩形の枠形状を備えるように設けられる。
【００２７】
また、本実施形態では、胴部保持部１４の装着口１４ａの周縁部から上方に延設して、一対の周縁フレーム枠部１５，１５’が、斜辺部１５ａ，１５ａ’を除く略全長に亘って、例えば２５〜４５ｍｍ程度の間隔をおいて好ましくは平行に並んで配置されて設けられている。また一方の周縁フレーム枠部１５の斜辺部１５ａには、当該斜辺部１５ａにおいて、線状棒状部材を他方の周縁フレーム枠部１５’の斜辺部１５ａ’側に例えば半長円形状に窪ませて曲折することで、パウチ１１の注出ノズル部１１ａをスパウト部材１８と共に横方向から着脱可能に装着して位置決めさせることが可能な形状の、ノズル保持部１６が形成されている。
【００２８】
胴部保持部１４の装着口１４ａの周縁部から上方に延設して、一対の周縁フレーム枠部１５，１５’が並んで配置されて設けられていることで、パウチ１１をパウチホルダー１０に装着した際に、パウチ１１の特に上部の周縁シール部１３を一対の周縁フレーム枠部１５，１５’の間の間隔部分に臨ませて配置することが可能になって、より安定した状態でパウチ１１を保持することが可能になる。また、例えば詰替え時に内容液の量が少なくなって、パウチ１１と共にパウチホルダー１０を傾ける際の傾倒角度が大きくなっても、パウチ１１の周縁シール部１３が一対の周縁フレーム枠部１５，１５’の間の間隔部分に臨んで配置されていることで、これらの周縁フレーム枠部１５，１５’に挟まれて周縁シール部１３が大きく横ズレしなくなるので、さらに安定した状態で内容液の詰替え作業を行うことが可能になる。なお、周縁フレーム枠部１５，１５’は本実施形態では平行に、すなわち相互の角度が０度で並んで配置されているが、平行に配置される必要は必ずしもなく、周縁フレーム枠部１５，１５’が直線状の場合、相互の角度が好ましくは３０度以下となるように並んで配置されていればよい。また、一方または双方の周縁フレーム枠１５，１５’の全部あるいは一部が波状になっていてもよい。
【００２９】
さらに、本実施形態では、周縁フレーム枠部１５，１５’の斜辺部１５ａ，１５ａ’が形成された側の一方の縦辺部１５ｃ，１５ｃ’とは反対側の他方の縦辺部１５ｄ，１５ｄ’に接合されて、取っ手部材１７が取り付けられている。本実施形態では、取っ手部材１７は、胴部保持部１４や周縁フレーム枠部１５，１５’と同様に、例えば金属製の丸棒からなる線状棒状部材を、図２や図３（ａ）、（ｂ）に示す所定の形状に曲折加工することによって形成されている。取っ手部材１７は、一対の他方の縦辺部１５ｄ，１５ｄ’に跨って配置されると共に、溶接等を介して接合固定されて、他方の縦辺部１５ｄ，１５ｄ’に一体として取り付けられる。
【００３０】
また、本実施形態では、取っ手部材１７による取っ手部１７ａ，１７ａ’は、他方の縦辺部１５ｄ，１５ｄ’から周縁フレーム枠部１５，１５’の内側に突出して取り付けられている。取っ手部１７ａ，１７ａ’が周縁フレーム枠部１５，１５’の内側に突出して取り付けられていることで、取っ手部を周縁フレーム枠部１５，１５’の外側に突出して設けた場合と比較して、取っ手部１７ａ，１７ａ’を把持する位置を、装着されたパウチ１１の重心側に近づけることが可能になり、これによってパウチ１１と共にパウチホルダー１０を持ち上げて傾倒角度を調整する際のモーメント力を低減して、さらに安定した状態で内容液の詰替え作業を行うことが可能になる。
【００３１】
ここで、取っ手部材１７が一対の他方の縦辺部１５ｄ，１５ｄ’に跨って配置されることで、一対の取っ手部１７ａ，１７ａ’は、一対の周縁フレーム枠部１５，１５’の一対の他方の縦辺部１５ｄ，１５ｄ’から、各々内側に突出して取り付けられることになる。一対の取っ手部１７ａ，１７ａ’が一対の他方の縦辺部１５ｄ，１５ｄ’から各々突出して取り付けられることで、一対の取っ手部１７ａ，１７ａ’の間に相当の間隔（厚み）が保持されることになり、このような一対の取っ手部１７ａ，１７ａ’間の厚みによって取っ手部１７ａ，１７ａ’を把持しやすくなって、さらに安定した状態でパウチ１１をパウチホルダー１０と共に持ち上げたり傾倒させたりすることが可能になる。
【００３２】
そして、上述の構成を備える本実施液体のパウチホルダー１０によれば、内容量が例えば２Ｌ程度の大きなパウチ１１であっても、多くの手間を要することなく、着脱可能に容易に装着することができると共に、パウチ１１と共に傾倒させて、パウチ１１に収容された内容液を注出ノズル部１１ａからスムーズに注出させることができる。
【００３３】
すなわち、本実施液体によれば、パウチホルダー１０は、胴部１１ｂの下部が装着されてパウチ１１を立設させる胴部保持部１４と、胴部保持部１４の装着口１４ａの周縁部から上方に延設して、開放側を下方に向けた略コの字形状を備えるように設けられた線状棒状部材による周縁フレーム枠部１５，１５’とからなり、また一方の周縁フレーム枠部１５の上端角部の斜辺部１５ａには、線状棒状部材を横方向に窪ませて曲折することでノズル保持部１６が設けられている。これによって、内容量の大きなパウチ１１であっても、図４に示すように、開放側を下方に向けた略コの字形状の周縁フレーム枠部１５，１５’と、装着口１４ａとによって囲まれる広い面積の装着空間を介して、パウチホルダー１０の斜め側方からパウチ１１をスムーズに差し入れて、パウチ１１の胴部１１ｂの下部を胴部保持部１４に装着させることで、パウチ１１を安定した立設状態で容易に保持することが可能になる。
【００３４】
また、例えばパウチ１１の胴部１１ｂの下部を胴部保持部１４に装着した後に、パウチ１１の注出ノズル部１１ａを、キャップ部材１９が装着されたスパウト部材１８と共に、パウチ１１をパウチホルダー１０に差し入れた側から、一方の周縁フレーム枠部１５の斜辺部１５ａに設けられたノズル保持部１６に横方向に差し込んで係止させることで、注出ノズル部１１ａを、斜辺部１５ａから斜め上方に向けて突出させた状態で容易に位置決めさせることが可能になる。
【００３５】
さらに、本実施形態によれば、開放側を下方に向けた略コの字形状を備える一方の周縁フレーム枠部１５の上端角部の斜辺部１５ａにノズル保持部１６が設けられていて、このノズル保持部１６に係止させることで、パウチ１１の注出ノズル部１１ａが斜辺部１５ａから斜め上方に向けて突出した状態で位置決め配置されるので、例えばパウチ１１から内容液を詰替える際に、図５に示すように、パウチホルダー１０をパウチ１１と共に、垂直方向に対して９０°以上の大きな角度で傾倒させなくても、注出ノズル部１１ａから内容液を容易に注出できるので、内容液をスムーズに且つ安定した状態で注出させることが可能になる。
【００３６】
なお、本発明は上記実施形態に限定されることなく種々の変更が可能である。例えば、パウチホルダーに着脱可能に装着されるパウチは、液体洗剤を内容液として収容するものである必要は必ずしも無く、食用の液体や燃料用の液体等、その他の種々の液体を内容液として収容するものであっても良い。また、詰替え用のパウチでなくても良く、内用量が例えば２Ｌ程度以上のパウチでなくても良い。小さな内容量のパウチの場合、その大きさに合った大きさにパウチホルダーを形成することで、本発明を適用することができる。注出ノズル部はパウチの上端角部から斜め上方に向けて突出していなくても良く、上端中央部分から注出ノズル部が上方に向けて突出しているパウチであっても良い。
【００３７】
また、周縁フレーム枠部は、胴部保持部の装着口の周縁部から上方に延設して、平行に一対設けられている必要は必ずしも無く、ノズル保持部を備える周縁フレーム枠部が一本のみ設けられていても良い。周縁フレーム枠部の両側の上端角部に各々斜辺部が設られていて、これらにノズル保持部を各々形成することで、パウチの注出ノズル部を選択的に係止できるようにすることもできる。
【００３８】
取っ手部は、縦辺部から周縁フレーム枠部の内側に突出させて取り付ける必要は必ずしも無く、図６（ａ）に示すように、取っ手部１７ａ，１７ａ’は、他方の縦辺部１５ｄ，１５ｄ’から外側に突出させて取り付けることもできる。図６（ｂ）に示すように、例えば２０°の傾斜角度を有するように取り付けることもできる。図６（ｃ）に示すように、縦辺部１５ｄ，１５ｄ’の上部を内側に食い込ませるように折り曲げて形成することもでき、これによって一対の縦辺部１５ｄ，１５ｄ’の間に、パウチ１１の周縁シール部１３を臨ませやすくすることができる。
【００３９】
また、取っ手部１７ａ，１７ａ’は、図７に示すように、他方の縦辺部１５ｄ，１５ｄ’から内側及び外側に突出させて設けることもできる。すなわち、取っ手部１７ａ，１７ａ’は、他方の縦辺部１５ｄ，１５ｄ’から周縁フレーム枠部１５，１５’の内側に突出して設けられた人差し指の中程部分の押さえふくらみ部２３と、他方の縦辺部１５ｄ，１５ｄ’から周縁フレーム枠部１５，１５’の外側に突出して設けられた、人差し指と親指との間の根元部分の押さえふくらみ部２４及び中指と薬指と小指とによる握りふくらみ部２５とを含んで形成することもできる。これによって、さらに安定した状態で取っ手部１７ａ，１７ａ’を把持することが可能になる。人差し指と親指との間の根元部分の押さえふくらみ部２４と中指と薬指と小指とによる握りふくらみ部２５の内側に、指が差し込まれるのを回避するためのジャマ棒２６を設けておくこともできる。
【００４０】
さらに、胴部保持部は、線状棒状部材を用いてフレーム枠形状に形成する必要は必ずしもなく、例えば図７に示すように、合成樹脂製の有底筒状の胴部保持部１４’とすることもできる。胴部保持部やリングフレームは、その平面形状が長円形状となっている必要は必ずしなく、楕円形状や矩形形状等の、その他の平面形状を有していても良い。周縁フレーム枠部や胴部保持部を形成する線状棒状部材は、金属製の丸棒の他、合成樹脂製の棒状部材等であっても良い。なお、胴部保持部を線状棒状部材を用いてフレーム枠形状に形成することで、胴部保持部の内部に水やゴミが残ったり堆積するのを効果的に回避することが可能になる。
【符号の説明】
【００４１】
１０  パウチホルダー
１０ａ  底部
１１  パウチ
１１ａ  注出ノズル部
１１ｂ  胴部
１２  正面フィルム部
１２ａ  斜縁部
１２ｂ  上縁部
１２ｃ  側縁部
１２ｄ  側縁部
１３  周縁シール部
１４，１４’  胴部保持部
１４ａ  装着口
１５  一方の周縁フレーム枠部
１５’  他方の周縁フレーム枠部
１５ａ，１５ａ’  斜辺部
１５ｂ，１５ｂ’  上辺部
１５ｃ，１５ｃ’  一方の縦辺部
１５ｄ，１５ｄ’  他方の縦辺部
１６  ノズル保持部
１７  取っ手部材
１７ａ，１７ａ’  取っ手
２０ａ  上側リングフレーム
２０ｂ  下側リングフレーム
２１，２１’  連結縦フレーム
２２  底部横フレーム
２３  人差し指の中程部分の押さえふくらみ部
２４  人差し指と親指との間の根元部分の押さえふくらみ部
２５  握りふくらみ部
２６  ジャマ棒
Ｘ    斜辺部の傾斜方向
【図１】
2013032172.tif 000003
【図２】
2013032172.tif 000004
【図３】
2013032172.tif 000005
【図４】
2013032172.tif 000006
【図５】
2013032172.tif 000007
【図６】
2013032172.tif 000008
【図７】
2013032172.tif 000009
【図８】
2013032172.tif 000010